(57)【要約】【課題】指の挿入状態を安定させて適切な除染を可能とするＵＶ殺菌器を提供する。【解決手段】本体部５に設けられ周回状の内壁２５によって区画された指を挿入させる挿入孔１９と、挿入孔１９内に配置され、挿入された指を突き当てる突当部材２１と、挿入孔１９内に挿入された指に対向して紫外光を照射可能な発光部２９とを備える。【選択図】図３
0003230230.tif 000002
【実用新案登録請求の範囲】
【請求項１】
本体部に設けられ周回状の内壁によって区画された指を挿入させる挿入孔と、
前記挿入孔内に配置され前記挿入された指を突き当てる突当部材と、
前記挿入孔内に挿入された前記指に対向して紫外光を照射可能な発光部と、
を備えたＵＶ殺菌器。
【請求項２】
請求項１記載のＵＶ殺菌器であって、
前記挿入孔の開口部を覆うと共に該開口部とは向きが異なる前記指を挿入させるための挿入開口部を区画するカバーを備えた、
ＵＶ殺菌器。
【請求項３】
請求項２記載のＵＶ殺菌器であって、
前記カバーは、遮光性を有し、又は前記紫外光を拡散させて透過させる透光性を有する、
ＵＶ殺菌器。
【請求項４】
請求項２又は３記載のＵＶ殺菌器であって、
前記発光部は、前記突当部材の前記挿入開口部側に支持された、
ＵＶ殺菌器。
【請求項５】
請求項１〜４の何れか一項に記載のＵＶ殺菌器であって、
前記突当部材は、前記紫外光を透過可能であり、
前記発光部は、前記突当部材を挟んで前記指に対向する、
ＵＶ殺菌器。
【請求項６】
請求項１〜５の何れか一項に記載のＵＶ殺菌器であって、
前記発光部は、前記突当部材に対する前記指の突当方向に対して傾斜した方向から前記指に紫外光を照射する、
ＵＶ殺菌器。
【請求項７】
請求項６記載のＵＶ殺菌器であって、
前記内壁の内面に前記紫外光を反射させる反射部を備えた、
ＵＶ殺菌器。
【請求項８】
請求項１〜７の何れか一項に記載のＵＶ殺菌器であって、
前記挿入孔への前記指の挿入を検出するセンサーを備え、
前記発光部は、前記センサーでの前記指の挿入の検出に応じて前記紫外光の照射を行う、
ＵＶ殺菌器。
【考案の詳細な説明】
【技術分野】
【０００１】
本考案は、紫外線を照射して人の指を殺菌するＵＶ殺菌器に関する。
【背景技術】
【０００２】
コロナウイルスやインフルエンザ等による感染症は、ウイルスが目、鼻、口等の粘膜から侵入すると感染することが知られている。こうした感染症では、飛沫感染等の他、ウイルスに汚染された手で目、鼻、口等の粘膜に無意識に触れてしまうことも大きな感染経路の一つである。
【０００３】
従って、感染症対策においては、マスクの着用等による飛沫対策だけでなく、手が汚染されないようにすることが重要である。手が汚染されないようにするには、ウイルスで汚染された物に触れなければよいが、実際には、完全に汚染された物に触れないようにすることは困難である。例えば、駅の券売機や銀行のＡＴＭ等を操作する際は、タッチパネル等の操作部に指先で触れる必要がある。
【０００４】
こうした状況においては、除菌スプレー等の除菌液が広く利用されている。この場合、券売機やＡＴＭ等がウイルスによって汚染されていたとしても、それに触れた手を除菌液によって除菌・除染できる。
【０００５】
しかし、除菌液の使用時は、スプレー等によって手に除菌液を塗布し、塗布後に除菌液を手になじませ、最後に除菌液を乾燥させる必要があるため、手間がかかるという問題があった。
【０００６】
これに対し、特許文献１には、紫外線によって指を殺菌する手指殺菌機が開示されている。
【０００７】
この手指殺菌機では、手指挿入口から指をケース体内に挿入することで、ケース体内の殺菌灯から指に対して紫外線を照射する。この紫外線の照射により指を殺菌できる。従って、特許文献１の手指殺菌機では、指をケース体内に挿入する簡単な動作で殺菌による除染が可能となる。
【０００８】
しかし、かかる手指殺菌機では、ケース体内への指の挿入量や挿入姿勢等の挿入状態がユーザーに委ねられているため、挿入状態のばらつきによって適切に指を除染ができないおそれがあった。
【先行技術文献】
【特許文献】
【０００９】
【特許文献１】実開平８−１１４５号
【考案の概要】
【考案が解決しようとする課題】
【００１０】
本考案が解決しようとする問題点は、挿入状態のばらつきにより適切な指の除染ができないおそれがあった点である。
【課題を解決するための手段】
【００１１】
本考案は、本体部に設けられ周回状の内壁によって区画された指を挿入させる挿入孔と、前記挿入孔内に配置され前記挿入された指を突き当てるための突当部材と、前記挿入孔内に挿入された前記指に対向して紫外光を照射可能な発光部と、を備えたＵＶ殺菌器を最も主な特徴とする。
【考案の効果】
【００１２】
本考案によれば、指を挿入孔に挿入して突当部材に突き当てることで、挿入孔の内壁で指の姿勢を制限すると共に突当部材により指の挿入量を規定し、その状態で発光部から指に紫外光を照射することができ、指の挿入状態を安定させて適切な除染が可能となる。
【図面の簡単な説明】
【００１３】
【図１】本考案の実施例１に係るＵＶ殺菌器の斜視図である。
【図２】図１のＵＶ殺菌器の正面図である。
【図３】図２のＩＩＩ−ＩＩＩ線に係る断面図である。
【図４】本考案の実施例２に係るＵＶ殺菌器の斜視図である。
【図５】図４のＵＶ殺菌器の正面図である。
【図６】図４のＵＶ殺菌器の側面図である。
【図７】図４のＵＶ殺菌器の底面図である。
【図８】図５のＶＩＩＩ−ＶＩＩＩ線に係る断面図である。
【図９】本考案の実施例３に係るＵＶ殺菌器の断面図である。
【考案を実施するための形態】
【００１４】
指の挿入状態を安定させて適切な除染を可能にするという目的を、周回状の内壁によって区画された挿入孔内に指を突き当てるための突当部材を設けることにより実現した。
【００１５】
すなわち、本考案のＵＶ殺菌器（１）は、挿入孔（１９）と、突当部材（２１）と、発光部（２９）とを備える。挿入孔（１９）は、本体部（５）に設けられ、周回状の内壁（２５）によって区画された指（Ｆ）を挿入するためのものである。突当部材（２１）は、挿入孔（１９）内に配置され、挿入された指（Ｆ）を突き当てるためのものである。発光部（２９）は、挿入孔（１９）内に挿入された指（Ｆ）に対向して紫外光を照射可能となっている。
【００１６】
ＵＶ殺菌器（１）は、挿入孔（１９）の開口部（１９ａ）を覆うと共にこの開口部（１９ａ）とは向きが異なる指（Ｆ）を挿入させるための挿入開口部（３７）を区画するカバー（３５）を備えてもよい。カバー（３５）は、遮光性を有するか或いは紫外光を拡散させて透過させる程度の透光性を有してもよい。
【００１７】
発光部（２９）は、突当部材（２１）の挿入開口部（３７）側に支持された構成としてもよい。或いは、突当部材（２１）は、紫外光を透過可能とし、発光部（２９）は、突当部材を挟んで指（Ｆ）に対向してもよい。
【００１８】
発光部（２９）は、突当部材（２１）に対する指（Ｆ）の突当方向に対して傾斜した方向から指（Ｆ）に紫外光を照射してもよい。
【００１９】
この場合、内壁（２５）の内面には、紫外光を反射させる反射部（３９）を備えてもよい。
【００２０】
ＵＶ殺菌器（１）は、挿入孔（１９）への指（Ｆ）の挿入を検出するセンサー（３１）を備えてもよい。この場合、発光部（２９）は、センサー（３１）での指（Ｆ）の挿入の検出に応じて紫外光の照射を行う。
【実施例１】
【００２１】
［ＵＶ殺菌器の構成］
図１は、本考案の実施例１に係るＵＶ殺菌器の斜視図である。図２は、図１のＵＶ殺菌器の正面図である。図３は、図２のＩＩＩ−ＩＩＩ線に係る断面図である。
【００２２】
図１〜図３のＵＶ殺菌器１は、駅の券売機、銀行のＡＴＭ、自動販売機等のように不特定多数の人が指で触れる対象物の近傍或いは対象物自体に設けられ、対象物に触れたユーザーの指を紫外光（ＵＶ）により殺菌して除染可能とするものである。
【００２３】
本実施例のＵＶ殺菌器１は、後付けのユニットとして構成されているが、対象物等に一体に設けてもよい。このＵＶ殺菌器１は、ベース３と本体部５とで構成されている。
【００２４】
ベース３は、ポリカーボネートやＡＢＳ樹脂等の樹脂により形成された板状体であり、対象物やその近傍に固定される。ベース３の固定は、粘着剤や締結具等の適宜の方法で行うことが可能である。ベース３には、本体部５の係合用のフック７と本体部５の締結用の突起部９とが設けられている。ベース３は、本体部５が固定されると、本体部５の背面５ａを覆う。
【００２５】
本体部５は、ポリカーボネートやＡＢＳ樹脂等の樹脂により、全体として中空箱状に形成されている。本体部５の色は、遮光性の濃色、特に黒色となっている。なお、ベース３の色は、本体部５に合わせた色とすればよいが、異なる色であってもよい。
【００２６】
本実施例の本体部５は、上部側がほぼ正面視矩形形状であり、下部側がほぼ正面視半円形状となっている。なお、本体部５の形状は、これに限定されるものではない。
【００２７】
本体部５の背面５ａには、ベース３のフック７に対応して係合用のスリット１１及び締結用の穴部１３が設けられている。スリット１１は、ベース３のフック７を入れ込んだ状態で相対的にスライドすることでフック７に係合する。
【００２８】
フック７にスリット１１が係合することで、本体部５がベース３に取り付けられると共に本体部５の背面５ａがベース３によって覆われる。本体部５の背面５ａには、電力の供給をオンオフするためのスイッチ（図示せず）が設けられている。このため、スイッチは、不用意に操作されることが防止される。なお、本体部５の側面５ｂには、充電用のケーブル差込口５ｃ及びリセットボタン５ｄが設けられている。
【００２９】
締結用の穴部１３は、本体部５のベース３への取付状態で、ベース３の突起部９に設けられた雌ネジ部９ａと連通する。雌ネジ部９ａには、穴部１３を介して雄ネジ部材１７が螺合される。これにより、本体部５が突起部９を介してベース３に締結され固定される。
【００３０】
かかる本体部５には、挿入孔１９と、突当部材２１と、発光ユニット２３とが設けられている。
【００３１】
挿入孔１９は、殺菌対象（除染対象）となるユーザーの指Ｆを挿入させる孔である。挿入孔１９は、本体部５の正面５ｅに開口部１９ａを有している。なお、開口部１９ａは、本体部５の側面等に位置してもよい。
【００３２】
この挿入孔１９は、開口部１９ａから本体部５内へ向けて、軸線が前後方向に沿うように形成されている。なお、前後方向とは、本体部５の正面５ｅから背面５ａへ向かう方向をいう。ただし、挿入孔１９の軸線は、前後方向に対して傾斜してもよい。また、挿入孔１９の軸線は、湾曲や屈曲させることも可能である。
【００３３】
本実施例の挿入孔１９は、本体部２５の開口縁部１８に取り付けられた周回状の内壁２５によって区画されている。内壁２５は、例えばポリカーボネートやＡＢＳ樹脂等の樹脂で形成され、本実施例において円筒形状となっている。なお、内壁２５は、金属等の他の材質によって形成してもよく、また角筒形状等の他の筒状としてもよい。さらに、内壁２５は、周回状であればよいため、周回状に配置した複数の板状体や螺旋状部材等で構成してもよい。
【００３４】
かかる内壁２５は、一端に設けられたフランジ部２５ａが本体部５の開口縁部１８の凹部１８ａに嵌合して取り付けられている。そして、内壁２５は、開口部１９ａから本体部５内へ前後方向に伸び、先端部２５ｂが発光ユニット２３に対して隙間を開けて対向している。なお、内壁２５の内径は、前後方向で変化しており、本実施例において先端部２５ｂへ向けてやや減少している。ただし、内壁２５の内径は一定としてもよい。
【００３５】
突当部材２１は、挿入孔１９内に配置され、殺菌対象の指Ｆ、特に指先を突き当てるものである。この突当部材２１は、指Ｆの突当により、指Ｆの挿入孔１９内へのそれ以上の進入を阻止する。つまり、突当部材２１は、挿入孔１９に対する指Ｆの挿入量を規定する。挿入量は、対象物に応じた指Ｆの使用範囲を考慮して設定する。この設定に際しては、平均的な大きさの指を基準とすればよい。
【００３６】
本実施例の突当部材２１は、内壁２５の先端部２５ｂに一体に取り付けられた板状体からなる。この突当部材２１は、挿入孔１９を本体部５の内部で塞ぐように設けられている。なお、突当部材２１の取付位置は、内壁２５の先端部２５ｂに限らず、内壁２５の前後方向の中間部等としてもよい。
【００３７】
かかる突当部材２１は、紫外光を透過可能となっている。具体的には、突当部材２１は、ガラス、アクリル、ポリカーボネート等の透明な透光性を有する材質からなる。本実施例では、内壁２５と共に突当部材２１が全体として透光性を有している。
【００３８】
ただし、突当部材２１は、透明でなくてもよく、少なくとも紫外光を透過できればよい。また、突当部材２１は、内壁２５とは異なる材質により別体に形成し、内壁２５に取り付ける形態としてもよい。また、突当部材２１は、紫外光を透過可能且つ指Ｆを突き当て可能な網目状部材や多孔部材若しくは挿入孔１９内に部分的に位置する突起等としてもよい。
【００３９】
発光ユニット２３は、紫外光の発光を行うユニットであり、前後方向で内壁２５に対向して本体部５に取り付けられている。この発光ユニット２３は、基板２７上に、発光部２９と、センサー３１とを備えている。
【００４０】
発光部２９は、挿入孔１９内に挿入された指Ｆに対向して紫外光を照射可能なものである。ここでの対向とは、発光部２９から発光された紫外光を少なくとも指Ｆの一部に直接照射できるように発光部２９が照射方向で挿入された指Ｆに向かい合うことを意味する。照射方向は、本実施例において挿入孔１９の軸線の方向に一致しているが、前後方向に対して傾斜した方向であってもよい。対向の方向は、殺菌対象領域等に応じて適宜変更することが可能であり、指Ｆの挿入方向や挿入方向に対して傾斜した方向としてもよい。なお、挿入方向は、挿入孔１９の軸線に沿った方向である。
【００４１】
本実施例の発光部２９は、挿入孔１９の軸心に中心を有するように配置されている。ただし、発光部２９は、指Ｆに対向して紫外光を照射可能であれば、配置が限定されるものではない。
【００４２】
この発光部２９は、突当部材２１を介して、挿入孔１９に挿入された指Ｆに対向する。このため、突当部材２１を介して発光部２９から発光された紫外光が指Ｆに照射される。この発光部２９は、紫外光を発光可能であれば、ＬＥＤ（Light Emitting Diode）、水銀放電ランプ、その他の発光素子等とすることができる。
【００４３】
発光される紫外光は、波長が１００〜２８０ｎｍ程度のＵＶ−Ｃが好ましく、特に２５４ｎｍや２７５ｎｍ等のように殺菌効果の高い２６０ｎｍ付近とするのが好ましい。発光時間（照射時間）は、本実施例において数秒としている。ただし、発光時間は、紫外光の線量との関係で人体に影響ない範囲で殺菌対象となるウイルスを殺菌できる発光時間とする。
【００４４】
発光部２９の発光（紫外光の指Ｆへの照射）は、基板２７上の回路（図示せず）を介したバッテリー３３からの給電により行われる。本実施例において、この紫外光の発光は、センサー３１での指Ｆの挿入孔１９への挿入を検出することに応じて行われる。
【００４５】
具体的には、センサー３１で指Ｆの挿入孔１９への挿入が検出されると、バッテリー３３から所定時間給電されて発光部２９が発光する。所定時間経過後には、バッテリー３３から発光部２９への給電が遮断される。かかる給電制御は、基板２７の回路構成や適宜のプロセッサー等の制御デバイスを設けることにより実現すればよい。
【００４６】
なお、発光部２９の発光は、常時行うものやユーザー自身のスイッチ操作に応じて行うものであってもよい。
【００４７】
センサー３１は、指Ｆの挿入孔１９への挿入を検出できれば種類は問わないが、本実施例において基板２７の回路上に設けられたフォトレジスターとなっている。なお、センサー３１としては、他の光学センサー等を用いることも可能である。設置場所も、基板２７以外の挿入孔１９内や開口部１９ａ等としてもよい。
【００４８】
［ＵＶ殺菌器の動作］
本実施例のＵＶ殺菌器１は、予め対象物の近傍又は対象物自体に取り付けて用いられる。ＵＶ殺菌器１の取付けに際しては、ベース３を対象物の近傍又は対象物自体に粘着剤等によって固定しておく。次いで、本体部５をベース３に対して固定する。
【００４９】
このとき、本体部５のスイッチはオンにしておく。そして、本体部５のスリット１１にベース３のフック７を合わせて本体部５の背面５ａをベース３の表面３ａに接触させる。この状態でベース３に対して本体部５がずれており、このずれを無くすよう本体部５をスライドさせる。この結果、ベース３のフック７が本体部５のスリット１１に係合し、ベース３上に本体部５が取り付けられる。
【００５０】
この取付状態で本体部５の穴部１３を介してベース３の突起部９の雌ネジ部９ａに雄ネジ部材１７を螺合する。これにより、本体部５がベース３に固定される。こうして取り付けられたＵＶ殺菌器１は、対象物に触れたユーザーの指Ｆを殺菌する。
【００５１】
殺菌の際は、ユーザーが指Ｆを本体部５の挿入孔１９内に開口部１９ａから挿入していく。このとき、挿入孔１９の内壁２５により、指Ｆを極度に曲げること等が規制されるので、指Ｆの姿勢が制限される。この制限下で指先が突当部材２１に突き当たるまで指Ｆを挿入孔１９に挿入する。従って、突当部材２１により指Ｆの挿入量が規定される。
【００５２】
このとき、指Ｆの挿入孔１９内への挿入がセンサー３１により検出され、バッテリー３３から発光部２９へ所定時間給電が行われる。この給電により発光部２９から紫外光を発光し、発光された紫外光は突当部材２１を透過してユーザーの指Ｆへと所定時間照射される。従って、指Ｆが殺菌されて除染される。なお、突当部材２１は、透過する紫外線によって殺菌されて除染されるので、次の使用時に別のユーザーの指Ｆを汚染するようなことが防止される。
【００５３】
かかる紫外光の照射は、指Ｆの姿勢の制限と指Ｆの挿入量の規定によって指Ｆの挿入状態が安定した状態で行われるため、指Ｆの除菌対象範囲（除染対象範囲）に対して適切に行うことができる。結果として、適切に指Ｆの殺菌、除染を行うことができる。
【００５４】
［実施例１の効果］
以上説明したように、本実施例のＵＶ殺菌器１は、本体部５に設けられ周回状の内壁２５によって区画された指Ｆを挿入させる挿入孔１９と、挿入孔１９内に配置され、挿入された指Ｆを突き当てる突当部材２１と、挿入孔１９内に挿入された指Ｆに対向して紫外光を照射可能な発光部２９とを備える。
【００５５】
従って、指Ｆを挿入孔１９に挿入して突当部材２１に突き当てることで、挿入孔１９の内壁２５で指Ｆの姿勢を制限すると共に突当部材２１により指Ｆの挿入量を規定し、その状態で発光部２９から指Ｆに紫外光を照射することで、指Ｆの挿入状態を安定させて適切な殺菌、除染が可能となる。
【００５６】
また、挿入孔１９内への指Ｆの挿入状態を安定させることで、紫外光の照射が不必要な指Ｆの部位を挿入孔１９外に位置させる等して、不必要な紫外光の照射を抑制できる。
【００５７】
突当部材２１は、紫外光を透過可能であり、発光部２９は、突当部材２１を挟んで指Ｆに対向する。
【００５８】
従って、本実施例のＵＶ殺菌器１では、指Ｆを突当部材２１に突き当てることで、指Ｆと発光部２９との間の距離を一定に保つことができ、その状態で指Ｆに対して紫外光を適切に照射することができる。このため、本実施例のＵＶ殺菌器１では、より適切な除染が可能となる。
【００５９】
しかも、突当部材２１は、発光部２９を保護する役割も果たし、発光部２９の損傷や汚れによる発光不良を抑制することができる。かかる点からも、より適切な除染が可能となる。
【００６０】
また、ＵＶ殺菌器１は、挿入孔１９への指Ｆの挿入を検出するセンサー３１を備え、発光部２９が、センサー３１での指Ｆの挿入の検出に応じて紫外光の照射を行う。
【００６１】
従って、指Ｆを挿入孔１９内に挿入するだけで容易に除染することができると共に省電力化、小型化を図ることができる。このため、ＵＶ殺菌器１は、バッテリー３３を用いて長期間を使用が可能となり、配線などが不要な機器として実現され、且つ限られたスペースへの取付けが可能であるため、後付けを容易に行うことができる。
【実施例２】
【００６２】
図４は、本考案の実施例２に係るＵＶ殺菌器の斜視図である。図５は、図４のＵＶ殺菌器の正面図である。図６は、図４のＵＶ殺菌器の側面図である。図７は、図４のＵＶ殺菌器の底面図である。図８は、図５のＶＩＩＩ−ＶＩＩＩ線に係る断面図である。なお、実施例２では、実施例１と対応する構成部分に同符号を付して重複した説明を省略する。
【００６３】
本実施例のＵＶ殺菌器１は、実施例１に対し、本体部５の開口部１９ａにカバー３５を設けたものである。
【００６４】
カバー３５は、本体部５に対して一体に設けられ、本体部５と同一の遮光性の材質で同色の黒色に形成されている。なお、カバー３５は、遮光性を有していれば、黒色に限られるものではない。
【００６５】
このカバー３５は、挿入孔１９の開口部１９ａを覆うと共に開口部１９ａとは向きが異なる指Ｆ（実施例１参照）を挿入させるための挿入開口部３７を区画するものである。これにより、カバー３５は、発光部２９から発光された紫外光を吸収して遮断し、ユーザーが紫外光を直視しないようにすると共に、外部からの光を遮断してセンサー３１の感度を向上する。
【００６６】
従って、カバー３５が開口部１９ａを覆うとは、ユーザーが紫外光を直視しない範囲でカバー３５を開口部１９ａを覆うことを意味する。カバー３５が開口部１９ａを覆う範囲は、例えば、ＵＶ殺菌器１の設置予定高さと平均身長の目線等に基づいて決定すればよい。
【００６７】
本実施例のカバー３５は、開口部１９ａから本体部５外へ前後方向で突出するフード状で下方が開放された形状となっており、下方に挿入開口部３７を区画している。
【００６８】
発光部２９は、突当部材２１の挿入開口部３７側である下部側に支持されている。発光部２９と基板２７との接続は、導線等によって行われている。この発光部２９は、指Ｆの突当方向に対して傾斜した方向から指Ｆに紫外光を照射する。本実施例において、突当方向は、前後方向であり、紫外光の照射方向は、発光部２９の位置に応じて前後方向に対して傾斜した斜め上方となっている。
【００６９】
これにより、紫外光が指Ｆの腹に照射されるようになっている。この照射方向において、カバー３５は、発光部２９と対向すると共に照射方向に対する交差方向に挿入開口部３７を区画する。なお、照射方向は、指Ｆの向きや除染対象部位等に応じて斜め側方や斜め下方であってもよく、また、挿入開口部３７は側方に区画してもよい。また、発光部２９は、突当部材２１ではなく、基板２７に支持してもよい。
【００７０】
発光部２９が取り付けられる突当部材２１は、本実施例において内壁２５とは別体に形成されている。この突当部材２１は、円板状に形成されており、前後方向の一方で内壁２５に外周縁が突き当てられ、前後方向の他方で本体部５内に設けられた脚部４０によって支持されている。脚部４０による突当部材２１の支持箇所は、外周縁とするのが好ましい。
【００７１】
挿入孔１９の内壁２５は、環状支持部４２に支持されている。環状支持部４２は、本体部５の開口部１９ａの開口縁に一体に設けられ、開口部１９ａの開口縁から本体部５内へ突出する筒状体である。この環状支持部４２の内周に内壁２５が嵌合して支持されている。内壁２５の前後方向の一端は、開口部１９ａの開口縁側の段部４４に突き当てられている。内壁２５の前後方向の他端は、突当部材２１を介して本体部５に支持される。
【００７２】
かかる内壁２５の内面には、紫外光を反射させる反射部３９が備えられている。反射部３９は、内壁２５の内面を鏡面塗装することによって形成されている。なお、反射部３９としては、紫外光を反射させることができれば、金属性の反射板等としてもよい。
【００７３】
また、本実施例のＵＶ殺菌器１は、インジケーター４６が設けられている。インジケーター４６は、発光部２９と共に発光するものであり、ＬＥＤ等によって構成されている。本実施例のインジケーター４６は、開口部１９ａの下方に配置されている。なお、インジケーター４６は、導線等によって基板２７に接続され、発光部２９と共に給電される。
【００７４】
従って、インジケーター４６により紫外光が発光していることを確認させることができるので、カバー３５を設けても紫外光の発光及びその終了をユーザーに通知し、ユーザーに指Ｆの適切な殺菌、除染を行わせることができる。
【００７５】
その他構成は、実施例１と同一となっている。
【００７６】
かかる実施例２のＵＶ殺菌器１では、実施例１と同様の作用・効果を奏することができるのに加え、発光部２９からの紫外光を遮断してユーザー等の目を紫外光から保護することができる。
【００７７】
また、カバー３５が遮光性であるため、発光部２９からの紫外光を確実に遮断できると共に外部からの光を遮断して光学系のセンサー３１の感度を向上することができる。
【００７８】
また、本実施例のＵＶ殺菌器１は、発光部２９が突当部材２１に支持され、突当方向に対して傾斜した方向である斜め下方から指Ｆに紫外光を照射するので、指の腹に向けて発光部２９を確実に位置決めることができ、ＡＴＭの操作部等の対象物を操作したときに使用した指の腹を確実に殺菌して除染できる。
【００７９】
また、本実施例では、内壁２５の内面に紫外光を反射させる反射部３９を備えたため、紫外光を効率よく指Ｆに当てて除菌効果を高めることができる。
【００８０】
また、本実施例では、発光部２９が突当部材２１の挿入開口部３７側に配置され、且つカバー３５内に指Ｆを挿入開口部３７から挿入させることで、挿入開口部３７から離反する側である上方側に指Ｆを誘導できるので、突当部材２１に発光部２９を支持しても、発光部２９に指Ｆが当たることを防止できる。
【実施例３】
【００８１】
図９は、本考案の実施例３に係るＵＶ殺菌器を示す断面図である。なお、実施例３では、実施例２と対応する構成部分に同符号を付して重複した説明を省略する。
【００８２】
本実施例のＵＶ殺菌器１は、カバー３５が紫外光を拡散させつつ透過する透光性を有する。このカバー３５は、本体部５の開口縁部１８に取り付けられている。カバー３５の開口縁部１８への取付けは、カバー３５の基端外周に設けられた周回状の溝３５ａを開口縁部１８に嵌合させることで行われている。このカバー３５の基端内周には、内壁２５が支持されている。
【００８３】
すなわち、カバー３５の基端内周には、周回突起３５ｂが設けられ、この周回突起３５ｂに内壁２５のフランジ部２５ａが本体部５の外側から係合する。本体部５の内側では、内壁２５の図示しない係合爪がカバー３５に係合している。
【００８４】
この構成により、内壁２５は、カバー３５の変形を規制してカバー３５の開口縁部１８に対する嵌合を保持する役割や有し、カバー３５は、内壁２５を保持する役割を有する。従って、内壁２５及びカバー３５が協働して本体部５に対する取付け強度を向上させている。
【００８５】
本実施例のカバー３５の材質は、ポリカーボネートやＡＢＳ樹脂等の樹脂であり、紫外光を拡散させつつ透過するようになっている。ここでの拡散は、透過光を紫外光の発光時間中に裸眼で直視することが可能なレベルまで紫外光の線量を減少させることをいう。透過光の線量は、カバー３５の材質の拡散率の設定等によって行うことが可能である。
【００８６】
その他構成は、実施例２と同一である。
【００８７】
かかる実施例３では、実施例２と同様の作用効果に加え、インジケーター４６を設けることなく、紫外光の発光及びその終了をユーザーに通知し、ユーザーに指Ｆの適切な殺菌、除染を行わせることができる。
【符号の説明】
【００８８】
１  ＵＶ殺菌器
３  ベース
５  本体部
５ａ  背面
１５  スイッチ
１９  挿入孔
１９ａ  開口部
２１  突当部材
２５  内壁
２９  発光部
３１  センサー
３５  カバー
３７  挿入開口部
３９  反射部
Ｆ  指
【図１】
0003230230.tif 000003
【図２】
0003230230.tif 000004
【図３】
0003230230.tif 000005
【図４】
0003230230.tif 000006
【図５】
0003230230.tif 000007
【図６】
0003230230.tif 000008
【図７】
0003230230.tif 000009
【図８】
0003230230.tif 000010
【図９】
0003230230.tif 000011